(57)【要約】  熱源機（１）は、ファン（３）を内部に収容する送風室（６）と、圧縮機（２０１）を内部に収容する第１機械室（７）と、制御部（２０５）を内部に収容する第２機械室（８）と、圧縮機（２０１）と制御部（２０５）とを接続する配線部（２０６）を内部に収容する第３機械室（９）とを備える。第１機械室（７）および第２機械室（８）は、ファン（３）の回転軸（Ｏ）に直交する第１方向（Ｘ）において送風室（６）を挟むように配置されており、第３機械室（９）は、第１方向（Ｘ）において第１機械室（７）と第２機械室（８）との間に配置され、かつ回転軸（Ｏ）および第１方向（Ｘ）の各々に直交する第２方向（Ｚ）において、ファン（３）と並んで配置されている。
2020170327.tif 000002
【特許請求の範囲】
【請求項１】
複数の熱源側構成部品および送風機を内部に収容する熱源機であって、
少なくとも前記送風機を内部に収容する送風室と、
前記熱源側構成部品のうちの第１部品を内部に収容する第１機械室と、
前記熱源側構成部品のうちの第２部品を内部に収容する第２機械室と、
前記第１部品と前記第２部品とを接続する接続部材を内部に収容する第３機械室とを備え、
前記第１機械室および前記第２機械室は、前記送風機の回転軸に直交する第１方向において前記送風室を挟むように配置されており、
前記第３機械室は、前記第１方向において前記第１機械室と前記第２機械室との間に配置され、かつ前記回転軸および前記第１方向の各々に直交する第２方向において、前記送風機と並んで配置されている、熱源機。
【請求項２】
前記送風室と前記第１機械室とを区画する第１壁部と、
前記送風室と前記第２機械室とを区画する第２壁部と、
前記送風室と前記第３機械室とを区画する第３壁部とをさらに備え、
前記送風室は、前記送風室の外部から内部に空気を取り込む吸入口と、前記送風室の内部から外部に空気を吹き出す吹出口と、前記吹出口に連なるように配置されたベルマウスを含み、
前記第３壁部は、前記回転軸が延在する第３方向において、前記ベルマウスよりも前記吸入口側に位置する風上部を含み、
前記風上部は、前記第３方向において前記吸入口側に位置する風上端部と、前記風上端部よりも前記吹出口側に位置する風下部分とを有している、請求項１に記載の熱源機。
【請求項３】
前記風上端部と前記回転軸との間の前記第２方向の距離は、前記風下部分と前記回転軸との間の前記第２方向の距離よりも長い、請求項２に記載の熱源機。
【請求項４】
前記第２方向から視て、前記風上端部の前記第１方向における両端部は、前記風上端部の前記第１方向における中央部よりも前記第２方向に突出するように配置されている、請求項２または３に記載の熱源機。
【請求項５】
前記第２方向から視て、前記第１壁部および前記第２壁部は、前記第３壁部の前記風上端部と連なるように設けられている部分を有している、請求項４に記載の熱源機。
【請求項６】
前記第３方向から視て、前記風上部の前記第１方向における両端部は、前記風上部の前記第１方向における中央部よりも前記第２方向に突出するように配置されている、請求項２〜５のいずれか１項に記載の熱源機。
【請求項７】
前記送風室は、前記送風室の外部から内部に空気を取り込む吸入口と、前記送風室の内部から外部に空気を吹き出す吹出口とを有し、さらに前記吹出口に連なるように配置されたベルマウスを含み、
前記ベルマウスの前記吸入口側に位置する風上端部は、前記回転軸が延在する第３方向において、前記第３機械室よりも前記吹出口側に配置されている、請求項１に記載の熱源機。
【請求項８】
前記熱源側構成部品は、圧縮機、前記圧縮機を制御する制御部、および前記圧縮機と前記制御部とを接続する配線部をさらに含み、
前記第１部品は、前記圧縮機を有し、
前記第２部品は、前記制御部を有し、
前記接続部材は、前記配線部を有している、請求項１〜７のいずれか１項に記載の熱源機。
【請求項９】
請求項１〜８のいずれか１項に記載の熱源機と、
負荷側熱交換器を内部に収容する室内機と、
前記熱源機と前記室内機とを接続する冷媒管路とを備える、冷凍サイクル装置。
【発明の詳細な説明】
【技術分野】
【０００１】
本発明は、熱源機および冷凍サイクル装置に関する。
【背景技術】
【０００２】
従来、圧縮機、熱源側熱交換器、熱源側熱交換器に送風する送風機、および圧縮機を駆動する駆動部等を内部に収容する熱源機（室外機）と、負荷側熱交換器、負荷側熱交換器に送風する送風機を内部に収容する負荷ユニット（室内機）とを備える冷凍サイクル装置が知られている。【０００３】
特開平４−１７７０３１号公報には、外箱内に、熱源側熱交換器の左右両端部の前方に配置された２つの機械室と、該２つの機械室の間に配置されており熱源側熱交換器に送風する送風機が収容された送風室とが形成された熱源機が開示されている。機械室は、柱状空間を有している。送風室は外箱に設けられた吸入口および吹出口に接続されている。さらに、上記送風室には、２つの機械室間を接続する冷媒配管が渡されている。
【先行技術文献】
【特許文献】
【０００４】
【特許文献１】特開平４−１７７０３１号公報
【発明の概要】
【発明が解決しようとする課題】
【０００５】
上記のように、送風室を挟む２つの機械室が設けられている熱源機では、冷媒配管の他にも、各機械室に収容される部材に応じて電気配線等の任意の接続部材が送風室に渡される。上記送風室は吸入口および吹出口を介して外箱の外部に接続されているため、上記接続部材は、外箱の外部から上記送風室に取り込まれた水、塵等に晒される。その結果、上記送風室に渡された接続部材には、漏電および腐食等の異常が発生するリスクが存在する。【０００６】
本発明の主たる目的は、従来の熱源機と比べて、送風室に渡された接続部材において漏電および腐食等の異常が発生するリスクが低減された熱源機を提供することにある。
【課題を解決するための手段】
【０００７】
本発明に係る熱源機は、複数の熱源側構成部品および送風機を内部に収容する熱源機であって、少なくとも送風機を内部に収容する送風室と、熱源側構成部品のうちの第１部品を内部に収容する第１機械室と、熱源側構成部品のうちの第２部品を内部に収容する第２機械室と、第１部品と第２部品とを接続する接続部材を内部に収容する第３機械室とを備える。第１機械室および第２機械室は、送風機の回転軸に直交する第１方向において送風室を挟むように配置されており、第３機械室は、第１方向において第１機械室と第２機械室との間に配置され、かつ回転軸および第１方向の各々に直交する第２方向において、送風機と並んで配置されている。
【発明の効果】
【０００８】
本発明によれば、従来の熱源機と比べて、送風室に渡された接続部材において漏電および腐食等の異常が発生するリスクが低減された熱源機を提供することができる。
【図面の簡単な説明】
【０００９】
【図１】実施の形態１に係る冷凍サイクル装置を示す図である。
【図２】実施の形態１に係る熱源機を示す斜視図である。
【図３】図２に示される熱源機の外箱の内部を示す斜視図である。
【図４】図３中の矢印ＩＶ−ＩＶから視た端面図である。
【図５】実施の形態２に係る熱源機の端面図である。
【図６】図５に示される熱源機の外箱の内部を示す斜視図である。
【図７】実施の形態３に係る熱源機の端面図である。
【図８】実施の形態４に係る熱源機の外箱の内部を示す斜視図である。
【図９】図８に示される熱源機の第３壁部を示す端面図である。
【図１０】図９中の矢印Ｘ−Ｘから視た端面図である。
【図１１】実施の形態４に係る熱源機の変形例を示す斜視図である。
【図１２】図１１に示される熱源機の第３壁部を示す端面図である。
【図１３】図１２中の矢印ＸＩＩＩ−ＸＩＩＩから視た端面図である。
【図１４】実施の形態５に係る熱源機の外箱の内部を示す斜視図である。
【図１５】図１４に示される熱源機を吸入口側から視た平面図である。
【図１６】実施の形態６に係る熱源機の端面図である。
【図１７】実施の形態７に係る熱源機の端面図である。
【図１８】実施の形態２に係る熱源機の変形例を示す端面図である。
【図１９】実施の形態１に係る熱源機の変形例を示す斜視図である。
【発明を実施するための形態】
【００１０】
以下、図面を参照して、本発明の実施の形態について説明する。なお、以下では、説明の便宜上、互いに直交する第１方向Ｘ、第２方向Ｚおよび第３方向Ｙが導入される。
【００１１】
実施の形態１．
＜冷凍サイクル装置の構成＞
はじめに、図１を参照して、実施の形態１に係る冷凍サイクル装置２００について説明する。冷凍サイクル装置２００は、冷媒が循環する冷媒回路を備える。上記冷媒回路は、圧縮機２０１、熱源側熱交換器５、負荷側熱交換器２０２、減圧部２０３、および四方弁２０４を含む。さらに冷凍サイクル装置２００は、圧縮機２０１の制御するための制御部品として、制御部２０５および配線部２０６を含む。
【００１２】
圧縮機２０１は、例えば回転数がインバータ制御されるインバータ圧縮機である。熱源側熱交換器５および負荷側熱交換器２０２は、冷媒と空気との間の熱交換を行うように設けられている。減圧部２０３は、例えば開度を調整できる電子膨張弁である。四方弁２０４は、熱源側熱交換器５が凝縮器、負荷側熱交換器２０２が蒸発器として作用する第１状態と、熱源側熱交換器５が蒸発器、負荷側熱交換器２０２が凝縮器として作用する第２状態とを切り替えるように設けられている。制御部２０５は、圧縮機２０１の駆動を制御する。制御部２０５は、接続部材としての配線部２０６を介して圧縮機２０１に接続されている。配線部２０６は、制御部２０５から圧縮機２０１に電力および動作信号を伝達する。配線部２０６は、例えば、第１方向Ｘに沿って延びるように配置されておりかつ第３方向Ｙにおいて並んで配置された複数の配線２０６ａ，２０６ｂを有している。
【００１３】
冷凍サイクル装置２００のうち、圧縮機２０１、熱源側熱交換器５、減圧部２０３、四方弁２０４、制御部２０５、および配線部２０６は、熱源機１の内部に収容されている。ここでは、圧縮機２０１、熱源側熱交換器５、減圧部２０３、四方弁２０４、制御部２０５、および配線部２０６を、冷凍サイクル装置２００の熱源側構成部品とよぶ。熱源機１は、例えば居室外に配置される。負荷側熱交換器２０２は、室内機２０７に収容されている。室内機２０７は、居室内に配置される。熱源機１と室内機２０７とは、冷媒配管２０８，２０９を介して接続されている。
【００１４】
＜熱源機の構成＞
図２および図４に示されるように、熱源機１は、外箱２を備えている。外箱２は、熱源機１の外郭を成しており、熱源機１に収容される各部材は外箱２の内部に配置されている。図１、図３および図４に示されるように、熱源機１は、外箱２の内部に配置されたファン３、ベルマウス４、熱源側熱交換器５、モータ１１、支持部１２、第１壁部７ｗ、第２壁部８ｗ、第３壁部９ｗ、圧縮機２０１、減圧部２０３、四方弁２０４、および制御部２０５と、外箱２の外部に配置されたファンガード１３とをさらに備える。第２方向Ｚは、上下方向に沿っている。第１方向Ｘおよび第３方向Ｙは、例えば水平方向に沿っている。なお、図３では、減圧部２０３、四方弁２０４、および上記冷媒回路の一部を成す冷媒配管の図示が省略されている。
【００１５】
図２に示されるように、外箱２は、第１方向Ｘおよび第２方向Ｚに沿って延在し、かつ第３方向Ｙにおいて間隔を隔てた配置された正面板２ａおよび背面板２ｂを有している。さらに、外箱２は、第１方向Ｘおよび第３方向Ｙに沿って延在し、かつ第２方向Ｚにおいて間隔を隔てた配置された下面板２ｃおよび上面板２ｄを有している。さらに、外箱２は、第２方向Ｚおよび第３方向Ｙに沿って延在し、かつ第１方向Ｘにおいて間隔を隔てた配置された側面板２ｅ，２ｆを有している。
【００１６】
図２に示されるように、正面板２ａには、吹出口２ｈが設けられている。背面板２ｂには、図示しない吸入口が設けられている。吸入口の開口面積は、吹出口２ｈの開口面積超えである。吸入口の下端は、例えば吹出口２ｈの下端よりも下方に配置されている。吸入口の上端は、例えば吹出口２ｈの上端よりも上方に配置されている。吸入口および吹出口２ｈの中心は、例えばファン３の回転軸Ｏ上にファン３を挟むように配置されている。ファン３が回転すると、第３方向Ｙに沿った気流Ａ（図２参照）が吹出口２ｈから吹き出される。以下では、複数部材間の第３方向Ｙにおける相対的な位置関係について、吸入口側を風上側、吹出口側を風下側とよぶ。
【００１７】
図３および図４に示されるように、ファン３は、第３方向Ｙに沿って延びる回転軸を中心として回転するように設けられている。ファン３は、モータ１１によって駆動される。ファン３およびモータ１１は、支持部１２によって支持されている。支持部１２は、例えば外箱２の下面板２ｃおよび上面板２ｄに固定されている。ファン３、モータ１１、および支持部１２は、送風機を構成しており、例えば熱源側熱交換器５よりも風下側に配置されている。
【００１８】
図４に示されるように、ベルマウス４は、外箱２の吹出口２ｈに連なるように配置されている。ベルマウス４は、ファン３の風下側に位置する部分を囲むように配置されている。ベルマウス４は、外箱２の正面板２ａに接続されている風下端部４ａと、風下端部４ａよりも吸入口側に配置された風上端部４ｂとを有している。風上端部４ｂは、ファン３の風上端部よりも風下側かつファン３の風下端部よりも風上側に配置されている。
【００１９】
図１に示されるように、ファンガード１３は、正面板２ａの外側に、第３方向Ｙにおいて吹出口２ｈと重なるように配置されている。
【００２０】
熱源側熱交換器５は、ファン３によって熱源機１の外部から内部に吸い込まれた空気と、上記冷凍サイクル装置２００の冷媒回路を循環する冷媒とを熱交換するように設けられている。熱源側熱交換器５は、例えば背面板２ｂ、下面板２ｃ、上面板２ｄ、および側面板２ｅ，２ｆに接するように配置されている。熱源側熱交換器５は、ファン３、ベルマウス４、モータ１１、および支持部１２よりも風上側に配置されている。
【００２１】
図３に示されるように、第１壁部７ｗ、第２壁部８ｗ、および第３壁部９ｗは、外箱２の内部に、送風室６と、第１機械室７、第２機械室８および第３機械室９とを区画している。第１壁部７ｗは、送風室６と第１機械室７とを区画している。第２壁部８ｗは、送風室６と第２機械室８とを区画している。第３壁部９ｗは、送風室６と第３機械室９とを区画している。
【００２２】
第１壁部７ｗは、第１方向Ｘにおいてファン３よりも側面板２ｅ側に、送風室６と区画されておりかつ第２方向Ｚに沿って延びる第１機械室７を形成するように、設けられている。第２方向Ｚから視て、第１壁部７ｗは、例えば略円弧状に設けられている。第１壁部７ｗの第２方向Ｚの長さは、ファン３の第２方向Ｚの長さ、すなわちファン３の外径以上である。第１壁部７ｗと、ファン３の回転軸Ｏを含み第２方向Ｚおよび第３方向Ｙに沿って延びるＹＺ平面との間の距離は、例えば一定である。好ましくは、第１壁部７ｗの風上端部と回転軸Ｏを含む上記ＹＺ平面との間の距離は、第１壁部７ｗの風下端部と回転軸Ｏを含む上記ＹＺ平面との間の距離よりも長い。より好ましくは、第１壁部７ｗと回転軸Ｏを含む上記ＹＺ平面との間の距離は、第３方向Ｙにおいて風上側から風下側に向かうほど短くなる。第１壁部７ｗと、ファン３の回転軸Ｏを含む上記ＹＺ平面との間の距離は、ベルマウス４の風上端部４ｂと上記ＹＺ平面との間の距離よりも長い。
【００２３】
第２壁部８ｗは、第１方向Ｘにおいてファン３よりも側面板２ｆ側に、送風室６と区画されておりかつ第２方向Ｚに沿って延びる第２機械室８を形成するように、設けられている。第３方向Ｙから視て、第２壁部８ｗは、例えば略円弧状に設けられている。第１壁部７ｗおよび第２壁部８ｗは、回転軸Ｏに対して対称である。第２壁部８ｗの第２方向Ｚの長さは、ファン３の第２方向Ｚの長さ、すなわちファン３の外径以上である。第２壁部８ｗと、上記ＹＺ平面との間の距離は、例えば一定である。好ましくは、第２壁部８ｗの風上端部と回転軸Ｏを含む上記ＹＺ平面との間の距離は、第２壁部８ｗの風下端部と回転軸Ｏを含む上記ＹＺ平面との間の距離よりも長い。より好ましくは、第２壁部８ｗと回転軸Ｏを含む上記ＹＺ平面との間の距離は、第３方向Ｙにおいて風上側から風下側に向かうほど短くなる。第２壁部８ｗと、ファン３の回転軸Ｏを含む上記ＹＺ平面との間の距離は、ベルマウス４の風上端部４ｂと上記ＹＺ平面との間の距離よりも長い。
【００２４】
図３および図４に示されるように、第３壁部９ｗは、第３方向Ｙにおいてファン３よりも下面板２ｃ側に、送風室６と区画されておりかつ第１方向Ｘに沿って延びる第３機械室９を形成するように、設けられている。第３壁部９ｗは、例えば第１壁部７ｗ、第２壁部８ｗ、正面板２ａ、および下面板２ｃに接続されている。第３壁部９ｗの第１方向Ｘの長さは、ファン３の第１方向Ｘの長さ、すなわちファン３の外径以上である。
【００２５】
第３壁部９ｗは、第１面部９０と、第１面部９０とは交差する方向に延びる第２面部９１とを有している。第１面部９０および第２面部９１は、例えば第１壁部７ｗおよび第２壁部８ｗに接続されている。第１面部９０の風上側に位置する一部と、第２面部９１の前体とが、ベルマウス４の風上端部４ｂよりも風上側に位置する第３壁部９ｗの風上部を構成している。
【００２６】
第１面部９０は、ファン３の回転軸Ｏと平行に設けられている。異なる観点から言えば、第１面部９０は、第１方向Ｘおよび第３方向Ｙに沿って延びるＸＹ平面と平行に設けられている。第１面部９０は、風下端部９０ａと、風上端部９０ｂとを有している。風下端部９０ａは、正面板２ａに接続されている。風上端部９０ｂは、第２面部９１の上方端部に接続されている。
【００２７】
第２面部９１は、例えば第１方向Ｘおよび第２方向Ｚに沿って延びるＸＺ平面と平行に設けられている。第１面部９０と第２面部９１とが風上端部９０ｂに対して成す角度は、例えば９０度である。第１面部９０の風上端部９０ｂおよび第２面部９１は、ベルマウス４よりも風上側に位置しており、第３壁部９ｗの風上端部を構成している。第２面部９１は、熱源側熱交換器５よりも風下側に配置されている。第２面部９１の下方端部は、下面板２ｃに接続されている。
【００２８】
第３壁部９ｗと、ファン３の回転軸Ｏを含む上記ＸＹ平面との間の第２方向Ｚの距離は、例えば一定である。言い換えると、第３壁部９ｗの風上端部とファン３の回転軸Ｏを含む上記ＸＹ平面との間の第２方向Ｚの距離、すなわち風上端部９０ｂとファン３の回転軸Ｏを含む上記ＸＹ平面との間の第２方向Ｚの距離は、風上端部９０ｂよりも風下側に位置する第１面部９０の風下部分と上記ＸＹ平面との間の第２方向Ｚの距離に等しい。第１面部９０の上記風下部分と回転軸Ｏを含む上記ＸＹ平面との間の第２方向Ｚの距離は、ベルマウス４の風上端部４ｂと回転軸Ｏを含む上記ＸＹ平面との間の第２方向Ｚの距離よりも長い。
【００２９】
熱源機１は、外箱２の内部に、送風室６と、第１壁部７ｗ、第２壁部８ｗ、および第３壁部９ｗによって送風室６と区画された第１機械室７、第２機械室８および第３機械室９とを備えている。
【００３０】
送風室６は、正面板２ａ、背面板２ｂ、上面板２ｄ、第１壁部７ｗ，第２壁部８ｗ，および第３壁部９ｗに面している。第１機械室７は、正面板２ａ、下面板２ｃ、上面板２ｄ、側面板２ｅ、および第１壁部７ｗに面している。第２機械室８は、正面板２ａ、下面板２ｃ、上面板２ｄ、側面板２ｆ、および第２壁部８ｗに面している。第３機械室９は、正面板２ａ、下面板２ｃ、および第３壁部９ｗに面している。
【００３１】
第１機械室７および第２機械室８は、第１方向Ｘにおいて送風室６を挟むように配置されている。第１機械室７および第２機械室８は、例えば第１方向Ｘにおいてファン３およびベルマウス４を挟むように配置されている。第３機械室９は、第１機械室７と第２機械室８とを接続しており、かつ第２方向Ｚにおいて送風室６と並んで配置されている。第３機械室９は、例えば送風室６よりも下方に配置されており、第１機械室７の下方端部に接続されている一端と第２機械室８の下方端部に接続されている他端とを有している。第３機械室９は、例えばファン３およびベルマウス４よりも下方に配置されている。
【００３２】
送風室６は、吸入口および吹出口を介して外箱２の外部に接続されている。送風室６には、ファン３、ベルマウス４、熱源側熱交換器５、モータ１１、支持部１２が収容されている。第１機械室７には、圧縮機２０１、減圧部２０３、および四方弁２０４が収容されている。第２機械室８は、制御部２０５が収容されている。第３機械室９には、配線部２０６が収容されている。
【００３３】
＜作用効果＞
熱源機１は、少なくとも熱源側熱交換器５およびファン３を内部に収容する送風室６と、第１部品としての圧縮機２０１を内部に収容する第１機械室７と、第２部品としての制御部２０５を内部に収容する第２機械室８と、圧縮機２０１と制御部２０５とを接続する接続部材としての配線部２０６を内部に収容する第３機械室９と、送風室６と第１機械室７とを区画する第１壁部７ｗと、送風室６と第２機械室８とを区画する第２壁部８ｗと、送風室６と第３機械室９とを区画する第３壁部９ｗとを備える。第１機械室７および第２機械室８は、ファン３の回転軸Ｏに直交する第１方向Ｘにおいて送風室６を挟むように配置されている。第３機械室９は、第１機械室７と第２機械室８とを接続しており、かつ回転軸Ｏおよび第１方向Ｘの各々に直交する第２方向Ｚにおいてファン３と並んで配置されている。
【００３４】
熱源機１では、配線部２０６が第３壁部９ｗによって送風室６と区画された第３機械室９に収容されているため、配線部２０６において漏電および腐食等の異常が発生するリスクが低減されている。
【００３５】
実施の形態２．
図５および図６に示されるように、実施の形態２に係る熱源機１は、実施の形態１に係る熱源機１と基本的に同等の構成を備えるが、第１方向Ｘに垂直な断面において、第３壁部９ｗの上記風上部が第３方向Ｙに対して傾斜するように設けられている点で異なる。
【００３６】
第１面部９０は、回転軸Ｏを含む上記ＸＹ平面に対して交差するように設けられている。回転軸Ｏを含む上記ＸＹ平面に対する第１面部９０の傾きは、一定である。第１面部９０は、平板状に設けられている。上記風上部は、風上端部９０ｂを有する第１面部９０の一部領域により構成されている。
【００３７】
第３壁部９ｗの上記風上端部９０ｂと回転軸Ｏを含む上記ＸＹ平面との間の第２方向Ｚの距離Ｌ１が、上記風下部分と回転軸Ｏを含む上記ＸＹ平面との間の第２方向Ｚの距離Ｌ２よりも長い。異なる観点から言えば、第３壁部９ｗの上記風上端部９０ｂと回転軸Ｏとの間の第２方向Ｚの距離Ｌ１は、上記風下部分と回転軸Ｏとの間の第２方向Ｚの距離Ｌ２よりも長い。上記距離Ｌ２は、ベルマウス４の風上端部４ｂと回転軸Ｏを含む上記ＸＹ平面との間の第２方向Ｚの距離Ｌ３よりも長い。第３壁部９ｗと回転軸Ｏを含む上記ＸＹ平面との間の距離は、第３方向Ｙにおいて風上側から風下側に向かうほど短くなる。
【００３８】
実施の形態２に係る熱源機１では、送風室６内の気流は第３壁部９ｗに導かれてベルマウス４の風上端部４ｂに至る。そのため、実施の形態２に係る熱源機１では、実施の形態１に係る熱源機１と比べて、第３壁部９ｗでの気流のはく離に伴う渦の発生が抑制されており、渦によるエネルギー損失が低減されている。その結果、実施の形態２に係る熱源機１では、実施の形態１に係る熱源機１と比べて、送風時の消費電力が低減されており、またファン３の翼で発生する圧力変動が小さいため低騒音化されている。
【００３９】
なお、配線部２０６のうち、風下側に位置する配線２０６ａの第２方向Ｚの幅は、風上側に位置する配線２０６ｂの第２方向Ｚの幅と等しくてもよいが、配線２０６ｂの第２方向Ｚの幅よりも広くてもよい。
【００４０】
実施の形態３．
図７に示されるように、実施の形態３に係る熱源機は、実施の形態２に係る熱源機１と基本的に同等の構成を備えるが、第１方向Ｘに垂直な断面において第１面部９０が回転軸Ｏを含む上記ＸＹ平面ＯＳに対して傾斜している複数の傾斜部を有している点で異なる。
【００４１】
第１面部９０は、例えば、第１方向Ｘに垂直な断面において、上記ＸＹ平面ＯＳに対して傾斜している複数の傾斜部と、上記ＸＹ平面ＯＳと平行な少なくとも１つの平行部とを有している。第１面部９０は、例えば第３方向Ｙにおいて並んで配置された第１傾斜部９２、第１平行部９３、第２傾斜部９４および第２平行部９５を有している。第３壁部９ｗの上記風上部は、例えば第１傾斜部９２、第１平行部９３、および第２傾斜部９４により構成されている。
【００４２】
第１傾斜部９２の風上端部は、第１面部９０の風上端部９０ｂを成しており、第２面部９１の上方端部に接続されている。第１傾斜部９２の風下端部は、第１平行部９３の風上端部に接続されている。第１平行部９３の風下端部は、第２傾斜部９４の風上端部に接続されている。第２傾斜部９４の風下端部は、第２平行部９５の風上端部に接続されている。第２平行部９５の風下端部は、第１面部９０の風下端部９０ａを成しており、正面板２ａに接続されている。
【００４３】
第１傾斜部９２と上記ＸＹ平面ＯＳとの間の第２方向Ｚの距離、および第２傾斜部９４と上記ＸＹ平面ＯＳとの間の第２方向Ｚの距離は、風上側から風下側に向かうほど短くなる。第１平行部９３と上記ＸＹ平面ＯＳとの間の第２方向Ｚの距離、および第２平行部９５と上記ＸＹ平面ＯＳとの間の第２方向Ｚの距離は、一定である。
【００４４】
第３壁部９ｗの上記風上端部９０ｂ、すなわち第１傾斜部９２の風上端部と、上記ＸＹ平面ＯＳとの間の第２方向Ｚの距離は、第１傾斜部９２よりも風下側に位置する第１平行部９３と上記ＸＹ平面ＯＳとの間の第２方向Ｚの距離Ｌ４よりも長い。上記距離Ｌ４は、第１平行部９３よりも風下側に位置する第２平行部９５と上記ＸＹ平面ＯＳとの間の第２方向Ｚの距離Ｌ５よりも長い。
【００４５】
上記ＸＹ平面ＯＳに対する第１傾斜部９２の傾斜角は、例えば上記ＸＹ平面ＯＳに対する第２傾斜部９４の傾斜角よりも小さい。
【００４６】
また、第１面部９０は、例えば、第１方向Ｘに垂直な断面において、上記ＸＹ平面ＯＳに対して傾斜している複数の傾斜部のみを有しており、各傾斜部が上記ＸＹ平面ＯＳに対して成す傾斜角が互いに異なることによって階段状に設けられていてもよい。相対的に風上側に配置された傾斜部の傾斜角は、相対的に風下側に配置された傾斜部の傾斜角よりも小さくされている。
【００４７】
実施の形態３に係る熱源機１においても、実施の形態２に係る熱源機１と同様に、送風室６内の気流は第３壁部９ｗに導かれてベルマウス４の風上端部４ｂに至る。そのため、実施の形態３に係る熱源機１は、実施の形態２に係る熱源機１と同様の効果を奏することができる。
【００４８】
実施の形態４．
図８〜図１０に示されるように、実施の形態４に係る熱源機は、実施の形態１に係る熱源機１と基本的に同等の構成を備えるが、第２方向Ｚから視て、第３壁部９ｗの風上端部９０ｂの第１方向Ｘにおける両端部９０ｂｂ，９０ｂｃが、風上端部９０ｂの第１方向Ｘにおける中央部９０ｂａよりも風上側に配置されている点で異なる。
【００４９】
なお、図９では、ファン３、モータ１１、支持部１２、圧縮機２０１、および制御部２０５の図示が省略されている。図１０では、配線部２０６の図示が省略されている。図１０では、ベルマウス４の風上端部４ｂ、および第３壁部９ｗの風上端部９０ｂのうち図１０に示される端面よりも風下側に位置する部分が点線で示されている。
【００５０】
図９に示されるように、第２方向Ｚから視て、第３壁部９ｗの風上端部９０ｂは凹状に設けられている。第２方向Ｚから視て、風上端部９０ｂは、第２方向Ｚにおいてファン３の回転軸Ｏと重なるように配置されている中央部９０ｂａと、第１壁部７ｗに最も近い端部９０ｂｂと、第２壁部８ｗに最も近い端部９０ｂｃとを有している。中央部９０ｂａは、第３方向Ｙにおいて、両端部９０ｂｂ，９０ｂｃよりも風下側に配置されている。言い換えると、中央部９０ｂａは、両端部９０ｂｂ，９０ｂｃを結ぶ仮想直線よりも風下側に配置されている。なお、該仮想直線は、図９において点線で示されている。第１面部９０は、ファン３の回転軸Ｏと平行に設けられている。
【００５１】
第２面部９１は、例えば第１方向Ｘおよび第２方向Ｚに沿って延びるＸＺ平面と平行に設けられている。第１面部９０と第２面部９１とが風上端部９０ｂに対して成す角度は、例えば９０度である。第１面部９０の風上端部９０ｂおよび第２面部９１は、ベルマウス４よりも風上側に位置しており、第３壁部９ｗの風上端部を構成している。第２面部９１は、熱源側熱交換器５よりも風下側に配置されている。第２面部９１の下方端部は、下面板２ｃに接続されている。
【００５２】
図９に示されるように、第１壁部７ｗは、例えば第５面部７０と、第５面部７０よりも風上側に配置された第６面部７１とを有している。第５面部７０は、ファン３の回転軸Ｏと平行に設けられている。第５面部７０は、第２方向Ｚおよび第３方向Ｙに沿って延びるＹＺ平面と平行に設けられている。第６面部７１は、第５面部７０とは交差する方向に延びている。第５面部７０の風上端部は第６面部７１の風下端部に接続されている。第１壁部７ｗの第６面部７１の風上端部と回転軸Ｏとの間の第１方向Ｘにおける距離は、第１壁部７ｗの第６面部７１の風下端部と回転軸Ｏとの間の第１方向Ｘにおける距離よりも長い。
【００５３】
図９に示されるように、第２壁部８ｗは、例えば第７面部８０と、第７面部８０よりも風上側に配置された第８面部８１とを有している。第７面部８０は、ファン３の回転軸Ｏと平行に設けられている。第７面部８０は、第２方向Ｚおよび第３方向Ｙに沿って延びるＹＺ平面と平行に設けられている。第８面部８１は、第７面部８０とは交差する方向に延びている。第７面部８０の風上端部は第８面部８１の風下端部に接続されている。第２壁部８ｗの第８面部８１の風上端部と回転軸Ｏとの間の第１方向Ｘにおける距離は、第２壁部８ｗの第８面部８１の風下端部と回転軸Ｏとの間の第１方向Ｘにおける距離よりも長い。
【００５４】
図９に示されるように、第２方向Ｚから視て、第１壁部７Ｗは、第３壁部９ｗの風上端部９０ｂと連なるように設けられている第６面部７１を有しているように設けられているのが好ましい。第２方向Ｚから視て、第２壁部８Ｗは、第３壁部９ｗの風上端部９０ｂと連なるように設けられている第８面部８１を有しているように設けられているのが好ましい。言い換えると、第２方向Ｚから視て、第５面部７０の風上端部、第６面部７１、第７面部８０の風上端部、および第８面部８１は、第３壁部９ｗの第１面部９０の風上端部９０ｂと曲面状に連なるように設けられているのが好ましい。第２方向Ｚから視て、第５面部７０の風上端部は第１面部９０の風上端部９０ｂの端部９０ｂｂと重なるように配置されている。第２方向Ｚから視て、第７面部８０の風上端部は第１面部９０の風上端部９０ｂの端部９０ｂｃと重なるように配置されている。
【００５５】
図１０は、図９に示される中央部９０ｂａと端部９０ｂｂとの間に位置する中間部９０ｂｄ、および中央部９０ｂａと端部９０ｂｃとの間に位置する中間部９０ｂｅを通り、かつ第３方向Ｙに垂直な端面を風上側から視た端面図である。
【００５６】
図１０に示されるように、ベルマウス４の風上端部４ｂのうち、回転軸Ｏよりも下方に位置しかつ第２方向Ｚにおいて回転軸Ｏと重なる部分を含む下方領域は、ファン３の径方向において下面板２ｃと対向するように配置されている。風上端部４ｂのうち、第１方向Ｘにおいて上記下方領域と隣接している領域は、上記径方向において第１面部９０と対向するように配置されている。
【００５７】
図１０に示されるように、ベルマウス４の風上端部４ｂの上記下方領域と下面板２ｃとの間の上記径方向における距離Ｌ５は、風上端部４ｂと風上端部９０ｂの中央部９０ｂａとの間の上記径方向における距離よりも長い。上記距離Ｌ５は、例えばベルマウス４の風上端部４ｂと風上端部９０ｂの中間部９０ｂｄとの間の上記径方向における距離Ｌ６、および風上端部４ｂと中間部９０ｂｅとの間の上記径方向における距離以上である。
【００５８】
実施の形態４に係る熱源機１では、第１面部９０の風上端部９０ｂの中央部９０ｂａが両端部９０ｂｂ、９０ｂｃよりも風下側に配置されているため、上記距離Ｌ５を上記距離Ｌ６以上とされ得る。このようにすれば、中央部９０ｂａ上を通る気流の速度が上記中間部９０ｂｄ、９０ｂｅ上を通る気流の速度よりも遅くなるため、中央部９０ｂａ上を通る気流の圧力損失が上記中間部９０ｂｄ、９０ｂｅ上を通る気流の圧力損失よりも低減される。
【００５９】
さらに、図１０に示されるように、実施の形態４に係る熱源機１では、送風室６においてベルマウス４の風上端部４ｂと下面板２ｃとの間の第２方向Ｚにおける距離が相対的に長くなる領域内に、第３壁部９ｗが配置されている。そのため、実施の形態４に係る熱源機１では、第３壁部９ｗの第１面部９０とベルマウス４の風上端部４ｂとの間の第２方向Ｚにおける距離の最大値と最小値との差、および上記領域内での第１方向Ｘの位置の変化に対する上記距離の変化率が、実施の形態１に係る熱源機１のそれらと比べて小さくされている。その結果、実施の形態４に係る熱源機１では、実施の形態１に係る熱源機１と比べて、送風室６の上記領域内での気流の乱れが低減されている。
【００６０】
また、実施の形態４に係る熱源機１では、第２方向Ｚから視て、第３壁部９ｗの風上端部９０ｂが第１壁部７ｗの風上端部および第２壁部８ｗの風上端部と円弧状に連なるように設けられている。そのため、第１壁部７ｗの風上端部および第３壁部９ｗの風上端部９０ｂの接続部の周囲、すなわち端部９０ｂｂの周囲、および第２壁部８ｗの風上端部と第３壁部９ｗの風上端部９０ｂとの接続部の周囲、すなわち端部９０ｂｃの周囲において、気体の滞留が抑制されている。
【００６１】
＜変形例＞
実施の形態４に係る熱源機では、実施の形態２に係る熱源機１と同様に、第１面部９０が第３方向Ｙに対して傾斜するように設けられていてもよい。また、実施の形態４に係る熱源機では、実施の形態３に係る熱源機と同様に、第１方向Ｘに垂直な断面において第１面部９０が複数の傾斜部を有していてもよい。
【００６２】
図１１〜図１３に示されるように、第１面部９０は、例えば回転軸Ｏを含む上記ＸＹ平面ＯＳに対して傾斜している第１傾斜部９６と、回転軸Ｏを含む上記ＸＹ平面ＯＳと平行な第１平行部９７とを有していてもよい。第１傾斜部９６の風上端部は、第１面部９０の風上端部９０ｂを成しており、第２面部９１の上方端部に接続されている。第１傾斜部９６の風下端部９６ａは、第１平行部９７の風上端部に接続されている。第１平行部９７の風下端部は、正面板２ａに接続されている。第３壁部９ｗの上記風上部は、例えば第１傾斜部９２の全体および第２面部９１の全体により構成されている。
【００６３】
なお、図１２では、ファン３、モータ１１、支持部１２、圧縮機２０１、および制御部２０５の図示が省略されている。図１３では、配線部２０６の図示が省略されている。図１３では、ベルマウス４の風上端部４ｂ、および第３壁部９ｗの風上端部９０ｂのうち図１３に示される端面よりも風下側に位置する部分が点線で示されている。
【００６４】
図１２に示されるように、第２方向Ｚから視て、第１傾斜部９６の風下端部９６ａは、例えば第１面部９０の風上端部９０ｂと平行に設けられている。図１３は、図１２中の矢印ＸＩＩＩ−ＸＩＩＩから視た端面図である。図１２および図１３では、図１３に示される端面において、第１傾斜部９６において回転軸Ｏと重なる部分がＰ１、第２壁部８ｗ側に位置する風下端部９６ａがＰ２、第２壁部８ｗ側に位置する第３壁部９ｗの端部がＰ３とされている。
【００６５】
図１２に示されるように、第２方向Ｚから視て、第３壁部９ｗの風上端部９０ｂは、好ましくは第１壁部７ｗおよび第２壁部８ｗと連なるように設けられている。
【００６６】
図１３に示されるように、ベルマウス４の風上端部４ｂのうち、回転軸Ｏよりも下方に位置しかつ第２方向Ｚにおいて回転軸Ｏと重なる部分を含む下方領域は、上記径方向において第１傾斜部９２と対向するように配置されている。風上端部４ｂのうち、第１方向Ｘにおいて上記下方領域と隣接している領域は、上記径方向において第１平行部９３と対向するように配置されている。
【００６７】
図１３に示されるように、ベルマウス４の風上端部４ｂの上記下方領域と上記Ｐ１との間の上記径方向における距離Ｌ７は、風上端部４ｂと第１平行部９７との間の上記径方向における距離よりも長い。上記距離Ｌ７は、例えばベルマウス４の風上端部４ｂと上記Ｐ２との間の距離に等しい。図１３に示される端面において、第１傾斜部９６は、例えばベルマウス４の風上端部４ｂと平行に設けられている。上記距離Ｌ７は、例えばベルマウス４の風上端部４ｂと上記Ｐ３との間の距離Ｌ８よりも短い。
【００６８】
このような図１１〜図１３に示される熱源機は、実施の形態４に係る熱源機と同様の構成を備えていながらも、さらに実施の形態２に係る熱源機と同様の第１面部９０を備えているため、実施の形態２および４に係る各熱源機１の効果を同時に奏することができる。
【００６９】
実施の形態５．
図１４および図１５に示されるように、実施の形態５に係る熱源機１は、実施の形態１に係る熱源機１と基本的に同様の構成を備えるが、第３方向Ｙから視て、第３壁部９ｗの上記風上部の第１方向Ｘにおける両端部が、上記風上部の第１方向Ｘにおける中央部よりも、回転軸Ｏを含む上記ＸＹ平面側に配置されている点で異なる。
【００７０】
第３壁部９ｗの第１面部９０は、例えば回転軸Ｏを含む上記ＸＹ平面ＯＳに対して傾斜している第１傾斜部９８と、回転軸Ｏを含む上記ＸＹ平面ＯＳと平行な第１平行部９９とを有している。第１傾斜部９８の風上端部は、第１面部９０の風上端部９０ｂを構成している。第１傾斜部９８の風下端部９８ａは、第１平行部９９の風上端部に接続されている。上記風上部は、例えば第１傾斜部９８の全体により構成されている。
【００７１】
風下端部９８ａは、第１方向Ｘにおいて中央部９８ａａおよび両端部９８ａｂ，９８ａｃを有している。第３方向Ｙから視て、両端部９８ａｂ，９８ａｃは、中央部９８ａａよりも回転軸Ｏを含む上記ＸＹ平面ＯＳ側に配置されている。言い換えると、中央部９８ａａと上記ＸＹ平面ＯＳとの間の第２方向Ｚにおける距離Ｌ９は、端部９８ａｂと上記ＸＹ平面ＯＳとの間の第２方向Ｚにおける距離Ｌ１０および端部９８ａｃと上記ＸＹ平面ＯＳとの間の第２方向Ｚにおける距離よりも長い。
【００７２】
第１面部９０の風上端部９０ｂは、第１方向Ｘにおいて中央部９０ｂａおよび両端部９０ｂｂ，９０ｂｃを有している。第３方向Ｙから視て、両端部９０ｂｂ，９０ｂｃは、例えば中央部９０ｂａよりも回転軸Ｏを含む上記ＸＹ平面ＯＳ側に配置されている。言い換えると、中央部９０ｂａと上記ＸＹ平面ＯＳとの間の第２方向Ｚにおける距離Ｌ１１は、端部９０ｂｂと上記ＸＹ平面ＯＳとの間の第２方向Ｚにおける距離Ｌ１２および端部９０ｂｃと上記ＸＹ平面ＯＳとの間の第２方向Ｚにおける距離よりも長い。
【００７３】
上記距離Ｌ９は、上記距離Ｌ１１よりも短く、例えば上記距離Ｌ１２よりも長い。上記距離Ｌ１０は、上記距離Ｌ１２よりも短い。
【００７４】
第１傾斜部９８は、例えば回転軸Ｏを中心軸としかつ頂点がファン３よりも風下側に配置された円錐面を成すように設けられている。第１平行部９９は、例えば回転軸Ｏを中心軸とする円柱面を成すように設けられている。
【００７５】
実施の形態５に係る熱源機１では、第３方向Ｙから視て、第３壁部９ｗの上記風上部の第１方向Ｘにおける両端部が、上記風上部の第１方向Ｘにおける中央部よりも、回転軸Ｏを含む上記ＸＹ平面側に配置されている。そのため、実施の形態５に係る熱源機１では、実施の形態１〜４に係る熱源機１と比べて、ベルマウス４の風上端部４ｂの近傍における第３壁部９ｗと風上端部４ｂとの距離が短くかつファン３の周方向における当該距離の変化量が小さくなる。その結果、実施の形態５に係る熱源機１では、実施の形態２に係る熱源機１と比べて、送風時の消費電力がさらに低減されており、またさらに低騒音化されている。
【００７６】
＜変形例＞
実施の形態５に係る熱源機では、実施の形態２に係る熱源機１と同様に、第１面部９０が第３方向Ｙに対して傾斜するように設けられている第１傾斜部９８を有しているが、これに限られるものではない。第１面部９０は、第１平行部９９のみを有していてもよい。また、実施の形態５に係る熱源機では、実施の形態３に係る熱源機と同様に、第１方向Ｘに垂直な断面において第１面部９０が複数の傾斜部を有していてもよい。各傾斜部は、例えば回転軸Ｏを中心軸としかつ頂点がファン３よりも風下側に配置された円錐面を成すように設けられている。第１面部９０は、複数の平面部を有していてもよい。各平面部は、例えば回転軸Ｏを中心軸とする円柱面を成すように設けられている。
【００７７】
実施の形態６．
図１６に示されるように、実施の形態６に係る熱源機１は、実施の形態１に係る熱源機１と基本的に同様の構成を備えるが、第２面部９１がＸＺ平面に対して傾斜するように設けられている点で異なる。
【００７８】
第２面部９１は、第１面部９０の風上端部に接続されている風下端部９１ａと、下面板２ｃに接続されている風上端部９１ｂとを有している。第２面部９１の風上端部９１ｂは、第２面部９１の風下端部９１ａよりも風上側に配置されている。つまり、第２面部９１の風上端部９１ｂは、第３壁部９ｗの風上端部を構成している。
【００７９】
第２面部９１の風上端部９１ｂと回転軸Ｏを含む上記ＸＹ平面との間の第２方向Ｚの距離は、第２面部９１の風下端部９１ａと回転軸Ｏを含む上記ＸＹ平面との間の第２方向Ｚの距離よりも長い。第１面部９０と第２面部９１とが風上端部９０ｂに対して成す角度は、９０度より大きい。
【００８０】
実施の形態６に係る熱源機１では、実施の形態２に係る熱源機１と同様に、送風室６内の気流は第３壁部９ｗに導かれてベルマウス４の風上端部４ｂに至る。そのため、実施の形態６に係る熱源機１は、実施の形態２に係る熱源機１と同様の効果を奏することができる。
【００８１】
＜変形例＞
実施の形態６に係る熱源機１は、第２面部９１がＸＺ平面に対して傾斜するように設けられている点を除き、実施の形態２〜５に係る熱源機と同様の構成を備えていてもよい。言い換えると、実施の形態２〜５に係る熱源機の第２面部９１は、ＸＺ平面に対して傾斜するように設けられていてもよい。
【００８２】
実施の形態７．
図１７に示されるように、実施の形態７に係る熱源機１は、実施の形態１に係る熱源機１と基本的に同様の構成を備えるが、第３壁部９ｗの全体が第３方向Ｙにおいてベルマウス４よりも風下側に配置されている点で異なる。つまり、実施の形態７における第３壁部９ｗは、上記風上部を有していない。
【００８３】
実施の形態７に係る熱源機１においても、配線部２０６が第３壁部９ｗによって送風室６と区画された第３機械室９に収容されているため、配線部２０６において漏電および腐食等の異常が発生するリスクが低減されている。
【００８４】
なお、第３壁部９ｗの第２面部９１は、ＸＺ平面に対して傾斜するように設けられているのが好ましい。回転軸Ｏに対してベルマウス４の風上端部４ｂよりも外側に位置する送風室６の外周領域を通る気流の風速は、回転軸Ｏに対してベルマウス４の風上端部４ｂよりも内側に位置する送風室６の中央領域を通る気流の風速よりも速い。そのため、送風室６内の通風抵抗は上記外周領域において問題となる。第２面部９１がＸＺ平面に対して傾斜するように設けられていれば、下面板２ｃに沿った気流は第２面部９１に導かれてベルマウス４の風上端部４ｂに至る。この場合、第２面部９１での気流のはく離に伴う渦の発生が抑制されており、渦によるエネルギー損失が低減されている。
【００８５】
＜変形例＞
実施の形態１〜７に係る熱源機１の第３機械室９、第３壁部９ｗおよび配線部２０６は、ファン３よりも上方に配置されていてもよい。図１８は、実施の形態２における第３機械室９、第３壁部９ｗおよび配線部２０６がファン３よりも上方に配置されている構成例を示している。図１８に示されるように、ファン３よりも上方に配置された第３機械室９、第３壁部９ｗおよび配線部２０６は、回転軸Ｏに対して、図１〜図１７に示されるファン３よりも下方に配置された第３機械室９、第３壁部９ｗおよび配線部２０６と対称に構成されていればよい。
【００８６】
実施の形態１〜７に係る熱源機１において、第１機械室７、第２機械室８、第３機械室９に収容される熱源側構成部品は、圧縮機２０１、熱源側熱交換器５、減圧部２０３、四方弁２０４、制御部２０５、および配線部２０６に制限されるものではない。また、実施の形態１〜７に係る冷凍サイクル装置２００は、図１に示される構成に制限されるものではない。
【００８７】
実施の形態１〜７に係る冷凍サイクル装置は、いわゆる間接式空気調和機として構成されていてもよいし、給湯器として構成されていてもよい。このような冷凍サイクル装置は、上記冷媒回路と、熱媒体が流れる熱媒体回路と、上記冷媒回路を流れる冷媒と上記熱媒体回路を流れる熱媒体とを熱交換する熱交換器とを備えている。熱媒体は、例えば水である。冷媒と熱媒体とを熱交換する熱交換器は、例えばプレート式熱交換器である。この場合、実施の形態１〜７に係る熱源機１は、熱源側熱交換器５の他にプレート式熱交換器をさらに備えており、該プレート式熱交換器は例えば第２機械室８に収容される。図１９は、実施の形態１における第２機械室８にプレート式熱交換器２１０が収容された構成例を示している。図１９に示されるように、プレート式熱交換器２１０に至る冷媒配管２１１は、配線部２０６とともに、第３機械室９内を通されている。冷媒配管２１１の外径は、例えば配線部２０６の外径よりも大きい。この場合、好ましくは、配線部２０６が相対的に風上側に配置され、冷媒配管２１１が相対的に風下側に配置される。なお、図１９では、減圧部２０３、四方弁２０４、および冷媒配管２１１以外の他の冷媒配管の図示が省略されている。
【００８８】
実施の形態１〜７に係る熱源機１において、第３壁部９ｗは、一つの部材が成形されることによって設けられていてもよいし、複数の部材が接続されることによって設けられていてもよい。
【００８９】
第３壁部９ｗは、上記構成を備える限りにおいて、例えば筒状部材の一部として構成されていてもよい。つまり、第３壁部９ｗは、第１方向Ｘに垂直な断面において、第３機械室９の全周を囲むように設けられていてもよい。このような筒状部材は、その周方向において、第３壁部９ｗの第１面部９０に接続されている第３面部と、第２面部９１および該第３面部に接続されている第４面部とを有している。上記第３面部は正面板２ａに接続され、上記第４面部は下面板２ｃに接続される。また、第３壁部９ｗは、上記第３面部および上記第４面部を備えず、第１面部９０および第２面部９１のみを備える軒状部材として構成されていてもよい。
【００９０】
実施の形態１〜７に係る熱源機１では、第３壁部９ｗと第１壁部７ｗおよび第２壁部８ｗとの間に隙間が設けられていてもよい。
【００９１】
以上のように本発明の実施の形態について説明を行なったが、上述の実施の形態を様々に変形することも可能である。また、本発明の範囲は上述の実施の形態に限定されるものではない。本発明の範囲は、請求の範囲によって示され、請求の範囲と均等の意味および範囲内でのすべての変更を含むことが意図される。
【符号の説明】
【００９２】
１  熱源機、２  外箱、２ａ  正面板、２ｂ  背面板、２ｃ  下面板、２ｄ  上面板、２ｅ，２ｆ  側面板、２ｈ  吹出口、３  ファン、４  ベルマウス、４ａ  風下端部、４ｂ，９０ｂ，９１ｂ  風上端部、５  熱源側熱交換器、６  送風室、７  第１機械室、７ｗ  第１壁部、８  第２機械室、８ｗ  第２壁部、９  第３機械室、９ｗ  第３壁部、１１  モータ、１２  支持部、１３  ファンガード、７０  第５面部、７１  第６面部、８０  第７面部、８１  第８面部、９０  第１面部、９０ｂａ，９８ａａ  中央部、９０ｂｂ，９０ｂｃ，９８ａｂ  端部、９０ｂｄ，９０ｂｅ  中間部、９１  第２面部、９２，９６，９８  第１傾斜部、９３，９７，９９  第１平行部、９４  第２傾斜部、９５  第２平行部、２００  冷凍サイクル装置、２０１  圧縮機、２０２  負荷側熱交換器、２０３  減圧部、２０４  四方弁、２０５  制御部、２０６  配線部、２０７  室内機、２０８，２０９，２１１  冷媒配管、２１０  プレート式熱交換器。
【図１】
2020170327.tif 000003
【図２】
2020170327.tif 000004
【図３】
2020170327.tif 000005
【図４】
2020170327.tif 000006
【図５】
2020170327.tif 000007
【図６】
2020170327.tif 000008
【図７】
2020170327.tif 000009
【図８】
2020170327.tif 000010
【図９】
2020170327.tif 000011
【図１０】
2020170327.tif 000012
【図１１】
2020170327.tif 000013
【図１２】
2020170327.tif 000014
【図１３】
2020170327.tif 000015
【図１４】
2020170327.tif 000016
【図１５】
2020170327.tif 000017
【図１６】
2020170327.tif 000018
【図１７】
2020170327.tif 000019
【図１８】
2020170327.tif 000020
【図１９】
2020170327.tif 000021
【手続補正書】
【提出日】令和3年7月12日(2021.7.12)
【手続補正１】
【補正対象書類名】特許請求の範囲
【補正対象項目名】全文
【補正方法】変更
【補正の内容】
【特許請求の範囲】
【請求項１】
複数の熱源側構成部品および送風機を内部に収容する熱源機であって、
少なくとも前記送風機を内部に収容する送風室と、
前記熱源側構成部品のうちの第１部品を内部に収容する第１機械室と、
前記熱源側構成部品のうちの第２部品を内部に収容する第２機械室と、
前記第１部品と前記第２部品とを接続する接続部材を内部に収容する第３機械室とを備え、
前記第１機械室および前記第２機械室は、前記送風機の回転軸に直交する第１方向において前記送風室を挟むように配置されており、
前記第３機械室は、前記第１方向において前記第１機械室と前記第２機械室との間に配置され、かつ前記回転軸および前記第１方向の各々に直交する第２方向において、前記送風機と並んで配置されており、
前記送風室と前記第１機械室とを区画する第１壁部と、
前記送風室と前記第２機械室とを区画する第２壁部と、
前記送風室と前記第３機械室とを区画する第３壁部とをさらに備え、
前記送風室は、前記送風室の外部から内部に空気を取り込む吸入口と、前記送風室の内部から外部に空気を吹き出す吹出口と、前記吹出口に連なるように配置されたベルマウスを含み、
前記第３壁部は、前記回転軸が延在する第３方向において、前記ベルマウスよりも前記吸入口側に位置する風上部を含み、
前記風上部は、前記第３方向において前記吸入口側に位置する風上端部と、前記風上端部よりも前記吹出口側に位置する風下部分とを有しており、
前記第２方向から視て、前記風上端部の前記第１方向における両端部は、前記風上端部の前記第１方向における中央部よりも前記第２方向に突出するように配置されている、熱源機。
【請求項２】
前記第２方向から視て、前記第１壁部および前記第２壁部は、前記第３壁部の前記風上端部と連なるように設けられている部分を有している、請求項１に記載の熱源機。
【請求項３】
複数の熱源側構成部品および送風機を内部に収容する熱源機であって、
少なくとも前記送風機を内部に収容する送風室と、
前記熱源側構成部品のうちの第１部品を内部に収容する第１機械室と、
前記熱源側構成部品のうちの第２部品を内部に収容する第２機械室と、
前記第１部品と前記第２部品とを接続する接続部材を内部に収容する第３機械室とを備え、
前記第１機械室および前記第２機械室は、前記送風機の回転軸に直交する第１方向において前記送風室を挟むように配置されており、
前記第３機械室は、前記第１方向において前記第１機械室と前記第２機械室との間に配置され、かつ前記回転軸および前記第１方向の各々に直交する第２方向において、前記送風機と並んで配置されており、
前記送風室と前記第１機械室とを区画する第１壁部と、
前記送風室と前記第２機械室とを区画する第２壁部と、
前記送風室と前記第３機械室とを区画する第３壁部とをさらに備え、
前記送風室は、前記送風室の外部から内部に空気を取り込む吸入口と、前記送風室の内部から外部に空気を吹き出す吹出口と、前記吹出口に連なるように配置されたベルマウスを含み、
前記第３壁部は、前記回転軸が延在する第３方向において、前記ベルマウスよりも前記吸入口側に位置する風上部を含み、
前記風上部は、前記第３方向において前記吸入口側に位置する風上端部と、前記風上端部よりも前記吹出口側に位置する風下部分とを有しており、
前記第３方向から視て、前記風上部の前記第１方向における両端部は、前記風上部の前記第１方向における中央部よりも前記第２方向に突出するように配置されている、熱源機。
【請求項４】
前記風上端部と前記回転軸との間の前記第２方向の距離は、前記風下部分と前記回転軸との間の前記第２方向の距離よりも長い、請求項１〜３のいずれか１項に記載の熱源機。
【請求項５】
複数の熱源側構成部品および送風機を内部に収容する熱源機であって、
少なくとも前記送風機を内部に収容する送風室と、
前記熱源側構成部品のうちの第１部品を内部に収容する第１機械室と、
前記熱源側構成部品のうちの第２部品を内部に収容する第２機械室と、
前記第１部品と前記第２部品とを接続する接続部材を内部に収容する第３機械室とを備え、
前記第１機械室および前記第２機械室は、前記送風機の回転軸に直交する第１方向において前記送風室を挟むように配置されており、
前記第３機械室は、前記第１方向において前記第１機械室と前記第２機械室との間に配置され、かつ前記回転軸および前記第１方向の各々に直交する第２方向において、前記送風機と並んで配置されており、
前記送風室は、前記送風室の外部から内部に空気を取り込む吸入口と、前記送風室の内部から外部に空気を吹き出す吹出口とを有し、さらに前記吹出口に連なるように配置されたベルマウスを含み、
前記ベルマウスの前記吸入口側に位置する風上端部は、前記回転軸が延在する第３方向において、前記第３機械室よりも前記吸入口側に配置されている、熱源機。
【請求項６】
前記熱源側構成部品は、圧縮機、前記圧縮機を制御する制御部、および前記圧縮機と前記制御部とを接続する配線部をさらに含み、
前記第１部品は、前記圧縮機を有し、
前記第２部品は、前記制御部を有し、
前記接続部材は、前記配線部を有している前記第３方向から視て、前記風上部の前記第１方向における両端部は、前記風上部の前記第１方向における中央部よりも前記第２方向に突出するように配置されている、請求項１〜５のいずれか１項に記載の熱源機。
【請求項７】
請求項１〜６のいずれか１項に記載の熱源機と、
負荷側熱交換器を内部に収容する室内機と、
前記熱源機と前記室内機とを接続する冷媒管路とを備える、冷凍サイクル装置。
【国際調査報告】
2020170327.tif 000022
2020170327.tif 000023
2020170327.tif 000024
2020170327.tif 000025